(57)【要約】【課題】取付枠を介してスイッチボックスに取り付けられる直列ユニットのガタツキを抑制する技術を提供する。【解決手段】直列ユニット１は、ユニット本体２が有する一対の係合部２４に加えて、金属枠３に形成された四つの付加係合部３２を有しているため、取付枠の固定爪および可動爪を使用して少なくとも４点、最大で６点で固定される。しかも、フランジ部３４の左右先端部分が、直列ユニット１の４隅にて取付枠の背面に当接することにより、固定爪や可動爪による固定部位を支点とする揺動を抑制する。【選択図】図３
2018073780.tif 000002
【特許請求の範囲】
【請求項１】
壁面に埋め込まれたスイッチボックスに対して、固定爪および可動爪からなる３組の取付部を備えた取付枠を介して、該取付枠が形成する矩形状の開口部に位置するように取り付けられる直列ユニットであって、
信号を入力するための入力端子、信号を出力するためのアウトレット端子、前記取付枠に形成された１組の前記取付部を係合させるための一対の係合部を有するユニット本体と、
前記ユニット本体と一体に構成され、前記アウトレット端子を露出させる孔を有し、３端子分の大きさに形成された端子台と、
を備え、
前記端子台は、
当該端子台の４隅に設けられ、前記ユニット本体に形成された一対の係合部の一方に前記固定爪を係合させた状態で、前記取付枠の同一面にそれぞれ当接する複数の当接部と、
を備える直列ユニット。
【請求項２】
前記端子台は、
前記ユニット本体が有する一対の係合部に１組の前記取付部を係合させた状態で、他の２組の前記取付部を形成する前記固定爪および前記可動爪と対向する４つの部位を対向部位として、該対向部位の少なくとも一つに設けられた前記固定爪または前記可動爪と係合させるための付加係合部を、更に備える
請求項１に記載の直列ユニット。
【請求項３】
前記端子台は、
前記ユニット本体と一体に構成される金属製の枠体と、
前記固定枠に取り付けられる樹脂製のカバーと、
を備え、前記付加係合部および前記当接部は、前記枠体と一体に形成されている、請求項１または請求項２に記載の直列ユニット。
【発明の詳細な説明】
【技術分野】
【０００１】
本開示は、テレビ受信システムに使用される直列ユニットに関する。
【背景技術】
【０００２】
特許文献１には、住宅の壁等に埋め込まれたスイッチボックスに、アウトレット端子（テレビ端子ともいう）を設けるための１端子型の直列ユニットが開示されている。
直列ユニットを、スイッチボックスに固定する際には、例えば、市販されている取付枠が用いられる。通常、取付枠には、最大３個のアウトレット機器ユニットを個別に固定できるように、３組の爪が設けられている。各組の爪は、対向配置され、一方が固定爪、他方が可動爪となり、可動爪を変形させることで、アウトレット機器を挟持した状態で固定する。
【０００３】
ところで、このような取付枠を用いて１端子型の直列ユニットを固定する場合、他の２口分の取り付けスペースが空洞となり、見栄えが悪い。そこで、１端子型のユニットに設けられた端子台を、３口分の開口を覆うことができる大きさのものに取り替えた構造を有する大角３口用の１端子型直列ユニットが提案されている。
【先行技術文献】
【特許文献】
【０００４】
【特許文献１】特開２０００−１７３７３０号公報
【発明の概要】
【発明が解決しようとする課題】
【０００５】
しかしながら、３口分の端子台を有する１端子型の直列ユニットは、ガタツキが生じやすいという問題があった。
即ち、大角３口用の１端子型直列ユニットは、取付枠が有する３組の爪のうち真ん中に位置する１組の爪のみを用いて固定される。このため、爪の締め付けが緩いと、爪を支点として端子台の上下端が揺動することによって、ガタツキが生じるのである。
【０００６】
本開示は、取付枠を介してスイッチボックスに取り付けられる直列ユニットのガタツキを抑制する技術を提供する。
【課題を解決するための手段】
【０００７】
かかる目的を達成するためになされた請求項１に記載の発明は、壁面に埋め込まれたスイッチボックスに対して、固定爪および可動爪からなる３組の取付部を備えた取付枠を介して、該取付枠が形成する矩形状の開口部に位置するように取り付けられる直列ユニットであって、信号を入力するための入力端子、信号を出力するためのアウトレット端子、前記取付枠に形成された１組の前記取付部を係合させるための一対の係合部を有するユニット本体と、前記ユニット本体と一体に構成され、前記アウトレット端子を露出させる孔を有し、３端子分の大きさに形成された端子台と、を備え、前記端子台は、当該端子台の４隅に設けられ、前記ユニット本体に形成された一対の係合部の一方に前記固定爪を係合させた状態で、前記取付枠の同一面にそれぞれ当接する複数の当接部と、を備える。
【０００８】
また、請求項２に記載の発明は、請求項１に記載の直列ユニットにおいて、前記端子台は、前記ユニット本体が有する一対の係合部に１組の前記取付部を係合させた状態で、他の２組の前記取付部を形成する前記固定爪および前記可動爪と対向する４つの部位を対向部位として、該対向部位の少なくとも一つに設けられた前記固定爪または前記可動爪と係合させるための付加係合部を更に備える。
【０００９】
また、請求項３に記載の発明は、請求項１または請求項２に記載の直列ユニットにおいて、前記端子台は、前記ユニット本体と一体に構成される金属製の枠体と、前記固定枠に取り付けられる樹脂製のカバーと、を備え、前記付加係合部および前記当接部は、前記枠体と一体に形成されている。
【発明の効果】
【００１０】
請求項１に記載の直列ユニットによれば、端子台の４隅に設けられた当接部が取付枠と当接することにより、固定爪および可動爪による固定部位を支点とする揺動が抑制される。このため、取付枠に取り付けられた直列ユニットのガタツキを抑制することができる。
【００１１】
請求項２に記載の直列ユニットによれば、一対の係合部に加えて一つ以上の付加係合部を有しているため、固定爪および可動爪を使用して３点以上で固定される。このため、取付枠に取り付けられた直列ユニットのガタツキを、より一層抑制することができる。
【００１２】
請求項３に記載の直列ユニットによれば、端子台を金属製の枠体と樹脂製のカバーとで構成し、付加係合部および当接部は枠体と一体に構成されている、取付枠への取り付けやガタツキの抑制に必要な部位の強度を確保しつつ、軽量化を図ることができる。
【図面の簡単な説明】
【００１３】
【図１】取付枠に固定された直列ユニットの正面図である。
【図２】取付枠の正面図である。
【図３】直列ユニットの斜視図である。
【図４】直列ユニットの正面図である。
【図５】直列ユニットの分解斜視図である。
【図６】取付枠に固定された直列ユニットの一部の背面図である。
【図７】取付枠に固定された従来の直列ユニットの正面図である。
【発明を実施するための形態】
【００１４】
以下、本発明の実施形態を図面と共に説明する。
［１．構成］
本実施形態の直列ユニット１は、大角３口用の１端子型の直列ユニットであって、図１に示すように、テレビ用のアウトレット端子２２を有し、住宅の壁面等に埋め込まれたスイッチボックスに、取付枠５を介して固定される。
【００１５】
［１−１．取付枠］
ここで直列ユニット１を説明する前に、取付枠５について説明する。なお、取付枠５は、３口用のスイッチボックスに適用され、市販されている周知のものである。
【００１６】
取付枠５は、図２に示すように、矩形状に形成された金属製の枠体である。以下では、取付枠５の長手方向を上下方向、短手方向を左右方向とする。
取付枠５の中央には、直列ユニット１が配置される開口部を有する。開口部は、１端子型の直列ユニットを３個取り付けることができる大きさに形成されている。以下では、図２において、取付枠５の開口部を形成する左側の縁部を基準縁５Ａ、右側の縁部を対向縁５Ｂ、上側の縁部を上縁５Ｃ、下側の縁部を下縁５Ｄという。また、図２において、取付枠５の見えている側の面を正面、その反対側の面を背面という。基準縁５Ａには、開口部に向けて突出した部位である三つの固定爪５１ａ，５１ｂ，５１ｃが形成されている。対向縁５Ｂには、三つの固定爪５１ａ，５１ｂ，５１ｃのそれぞれと対向する位置に、開口部に向けて突出した部位である三つの可動爪５２ａ，５２ｂ，５２ｃが形成されている。固定爪５１ａ，５１ｂ，５１ｃは、いずれも同じ形状を有しているため、特に区別する必要がない場合は単に固定爪５１と記す。同様に、可動爪５２ａ，５２ｂ，５２ｃも、いずれも同じ形状を有しているため、特に区別する必要がない場合は単に可動爪５２と記す。
【００１７】
固定爪５１は、直列ユニット１に形成された後述する係合部を系合させることによって、直列ユニット１の上下方向、正面背面方向への移動を抑制するためのものである。
可動爪５２は、対向縁５Ｂの一部を打ち抜き加工することにより、可動爪５２の上下端が細い腕部によって支持された構造を有する。この腕部を塑性変形させることによって、可動爪５２を開口部に向けて変移させること、即ち、開口部を挟んで互いに対向する固定爪５１と可動爪５２の間隔を狭めることができるように構成されている。以下では、互いに対向する固定爪５１および可動爪５２の組を取付部５０と呼ぶものとする。つまり、取付枠５は、３組の取付部５０ａ，５０ｂ，５０ｃを備えており、１口用のコンセントやスイッチ等の機器を、最大３個取り付けることができるように構成されている。
【００１８】
取付枠５の上縁５Ｃおよび下縁５Ｄには、その左右方向の中央付近に、当該取付枠５をスイッチボックスにねじ止めするためのねじ孔５３がそれぞれ設けられている。
［１−２．直列ユニット］
直列ユニット１は、図３，図４，図５に示すように、ユニット本体２と、金属枠３と、カバー４とを備える。なお、金属枠３にカバー４を組み付けたものを端子台ともいう。以下では、図４における上下左右方向を直列ユニット１の上下左右方向とし、図に見えている側の面を正面、その反対側の面を背面という。
【００１９】
ユニット本体２は、ユニット筐体２１と、アウトレット端子２２と、入力端子２３と、一対の係合部２４，２４とを備える。ユニット筐体２１は、電子部品等を収納する空間を有した金属製の箱体であり、入力端子２３から入力された信号がアウトレット端子２２から出力されるように両端子２２，２３を電気的に接続している。アウトレット端子２２は、Ｆ型コネクタのレセプタクルであり、ユニット筐体２１の正面側に突出して設けられている。入力端子２３は、Ｌ次型に形成され、一端にＦ型コネクタのレセプタクルが設けられ、他端がユニット筐体２１の背面側に回動可能に取り付けられている。一対の係合部２４，２４は、アウトレット端子２２の左右両側に位置し、ユニット筐体２１の正面側に突出して設けられている。この突出した部位には、左右方向から固定爪５１あるいは可動爪５２を係合させるための凹部が形成されている。
【００２０】
金属枠３は、枠状部３１と、四つの付加係合部３２と、二つ突条３３と、二つのフランジ部３４と、を備える。
枠状部３１は、矩形状に形成され中心付近に矩形状の開口部を有する。枠状部３１の上下方向中心付近の背面側には、ユニット本体２を固定するためのカシメ用の固定片３５が複数設けられている。
【００２１】
付加係合部３２は、枠状部３１の左右外縁の上下端、合計４箇所のそれぞれに設けられ、固定爪５１および可動爪５２を係合させるための凹部３２１が形成されている。この付加係合部３２は、枠状部３１の左右外縁を正面側に折り返すことで形成されている。また、凹部３２１は、付加係合部３２と枠状部３１との境界部分に穿設された孔によって形成されている。なお、金属枠３において、付加係合部３２が形成された部位の左右幅は、取付枠５の開口部の左右幅より狭くなるように形成されている。
【００２２】
突条３３は、枠状部３１の左右外縁の付加係合部３２以外の部分を、付加係合部３２より左右方向内側にて正面方向に折り返すことで形成されている。
フランジ部３４は、枠状部３１の上下端付近に、左右から切り込みを入れて、その切り込みより先端側の部位を背面側に折り返した形状を有する。また、フランジ部３４は、左右方向の幅が金属枠３の開口部の幅より広くなるように形成されている。また、フランジ部３４の左右両端部は、付加係合部３２を取付枠５の固定爪５１に係合させたときに、取付枠５の基準縁５Ａおよび対向縁５Ｂの背面に、それぞれ当接するように形成されている。このフランジ部３４の左右方向の先端部分が本発明における当接部に相当する。また、フランジ部３４の折り返された部位（以下、折返部）の外側面には、カバー４に形成された凹部と係合して、金属枠３に取り付けられたカバー４の脱落を防止するための凸部が形成されている。
【００２３】
カバー４は、樹脂性のカバーであり、その中心付近には、アウトレット端子２２を外部に露出させる円形の孔４１が形成されている。カバー４の左右縁は、背面側に折り返された形状を有する。その折り返された部位の先端が、金属枠３の突条３３に当接することで、金属枠３の枠状部３１に対するカバー４の位置が決まるように構成されている。また、カバー４の上下縁も、背面側に折り返された形状を有する。その折り返された部位の内面が、フランジ部３４の折返部に当接することで、金属枠３に対するカバー４の上下方向の位置が決まるように構成されている。なお、このカバー４の折り返された部位には、図示を省略するが、フランジ部３４の折返部に形成された凸部に係合させる凹部が形成されている。なお、カバー４の上下方向の幅は、取付枠５の開口部の上下方向の幅より狭くなるように形成されている。
【００２４】
ユニット本体２は、上述した金属枠３の一部を切り起こした舌状部位３５によってカシメることで、金属枠３に固定される。カバー４は、孔４１にアウトレット端子２２を挿通させた状態で、カバー４の左右縁を、金属枠３のレール状の部位に挟持させ、フランジ部３４の折返部に形成された凸部を、カバー４の上下縁の内面に形成された凹部に係合させることによって、金属枠３に取り付けられる。これによって、ユニット本体２、金属枠３、カバー４を一体化した直列ユニット１が組み立てられる。
【００２５】
このようにして組み立てられた直列ユニット１は、図３および図４に示すように、端子台となるカバー４の左右縁部に、ユニット本体２に形成された一対の係合部２４と、金属枠３に形成された四つの付加係合部３２とによって、固定爪５１または可動爪５２に係合させることが可能な部位を三つずつ有したものとなる。
【００２６】
［２．取付枠への固定］
次に、直列ユニット１を取付枠５に固定する作業について説明する。
直列ユニット１を、取付枠５の背面側から取付枠５の開口部に挿入し、直列ユニット１の正面が取付枠５の開口部に位置するように配置する。この状態で、取付枠５の三つの固定爪５１を、直列ユニット１の左右縁の一方に形成された一つの係合部２４および二つの付加係合部３２にそれぞれ係合させる。
【００２７】
これにより、取付枠５に対する直列ユニット１の上下方向および正面背面方向への移動が抑制される。このとき、図６に示すように、フランジ部３４の左右先端部分（即ち、当接部）が、取付枠５の基準縁５Ａおよび対向縁５Ｂの背面に当接する。これにより、直列ユニット１の上下端が、取付枠５の正面背面方向に移動することが抑制される。更に、この状態で、取付枠５の三つの可動爪５２を、ドライバの先端等を用いて変形させることで、直列ユニット１の左右縁の他方に形成された一つの係合部２４および二つの付加係合部３２にそれぞれ係合させる。なお、可動爪５２による係合は、三箇所すべてについて行ってもよいが、少なくとも一箇所で行なえばよい。これにより直列ユニット１は、ガタツキが抑制された状態で、取付枠５に固定される。
【００２８】
［３．効果］
以上詳述した第１実施形態によれば、以下の効果を奏する。
（３ａ）直列ユニット１によれば、ユニット本体２が有する一対の係合部２４に加えて、金属枠３に形成された四つの付加係合部３２を有しているため、固定爪５１および可動爪５２を使用して少なくとも４点、最大で６点で固定される。しかも、フランジ部３４の左右先端部分が、直列ユニット１の４隅にて取付枠５の背面に当接することにより、固定爪５１や可動爪５２による固定部位を支点とする揺動を抑制する。このため、直列ユニット１によれば、図７に示す、ユニット本体２が有する一対の係合部２４だけを用いて取付枠５に固定される従来の直列ユニット１００と比較して、取付枠５に取り付けられた状態でのガタツキを抑制することができる。
【００２９】
（３ｂ）直列ユニット１によれば、金属枠３と樹脂製のカバー４と端子台を構成し、付加係合部３２およびフランジ部３４は金属枠３と一体に構成されている。このため、取付枠５への取り付けやガタツキの抑制に必要な部位の強度を確保しつつ、直列ユニット１全体としての軽量化を図ることができる。
【００３０】
［４．他の実施形態］
以上、本開示の実施形態について説明したが、本開示は上述の実施形態に限定されることなく、種々変形して実施することができる。
【００３１】
（４ａ）上記実施形態では、直列ユニット１に四つの付加係合部３２を設けたが、これに限定されるものではない。例えば、付加係合部３２を、一つだけ設けたり、二つや三つ設けたりしてもよい。
【００３２】
（４ｂ）直列ユニット１のユニット本体２として、アウトレット端子２２と入力端子２３を備えたものを用いているが、これに限定されるものではない。例えば、ユニット筐体２１の背面側には、入力端子２３に加え出力端子を更に備えていてもよい。この場合、ユニット筐体２１内の電子部品等は、入力端子２３から入力された信号を分岐して、出力端子とアウトレット端子２２から出力するように構成されていればよい。
【００３３】
（４ｃ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００３４】
１…直列ユニット、２…ユニット本体、３…金属枠、４…カバー、５…取付枠、５Ａ…基準縁、５Ｂ…対向縁、５Ｃ…上縁、５Ｄ…下縁、２１…ユニット筐体、２２…アウトレット端子、２３…入力端子、２４…係合部、３１…枠状部、３２…付加係合部、３３…突条、３４…フランジ部、３４ａ…折返部、３５…舌状部位、４１…孔、５０…取付部、５１…固定爪、５２…可動爪、５３…ねじ孔、１００…直列ユニット、３２１…凹部。
【図１】
2018073780.tif 000003
【図２】
2018073780.tif 000004
【図３】
2018073780.tif 000005
【図４】
2018073780.tif 000006
【図５】
2018073780.tif 000007
【図６】
2018073780.tif 000008
【図７】
2018073780.tif 000009